(57)【要約】【課題】読影レポートの作成時に係る読影効率の向上。【解決手段】表示部１７は、読影対象の患者に関する読影レポートを表示する。入力部１５は、読影レポートに対する入力操作を受け付ける。文字列抽出部２５１は、入力部１５を介して読影レポートに入力された検査情報又は所見情報から、医用画像を特定するための所定の項目に関する文字列を抽出する。医用画像特定部２５２は、抽出された文字列に関連する候補画像を、読影対象の患者に関する複数の医用画像の中から特定する。貼付部２５５は、特定された候補画像のキー画像を読影レポートに貼付する。【選択図】      図３
2015162082.tif 000002
【特許請求の範囲】
【請求項１】
読影対象の患者に関する読影レポートを表示する表示部と、
前記読影レポートに対する入力操作を受け付ける入力部と、
前記入力部を介して前記読影レポートに入力された検査情報又は所見情報から、医用画像を特定するための所定の項目に関する文字列を抽出する抽出部と、
前記抽出された文字列に関連する関連医用画像を前記読影対象の患者に関する複数の医用画像の中から特定する特定部と、
前記特定された関連医用画像のキー画像を前記読影レポートに貼付する貼付部と、
を具備するレポート作成装置。
【請求項２】
前記表示部は、前記特定部により前記関連医用画像が特定された場合、前記関連医用画像に対応する縮小画像を候補表示領域に自動的に表示し、
前記貼付部は、前記縮小画像に対するユーザによる前記入力部を介した貼付操作を受けて、前記貼付操作の対象となる縮小画像を前記キー画像として前記読影レポートに貼付する、
請求項１記載のレポート作成装置。
【請求項３】
前記表示部は、前記読影レポートを表示するための第１の表示機器と医用画像を表示するための第２の表示機器とを有し、
前記表示部は、前記候補表示領域を前記第１の表示機器に表示する、
請求項２記載のレポート作成装置。
【請求項４】
前記表示部は、前記候補表示領域を前記読影レポートの所見表示領域に表示する、請求項２記載のレポート作成装置。
【請求項５】
前記表示部は、前記特定部により前記抽出された文字列に関連する複数の関連医用画像が特定された場合、前記候補表示領域への表示対象の縮小画像を、前記複数の関連医用画像に関する優先度に応じて制限する、請求項２記載のレポート作成装置。
【請求項６】
前記複数の関連医用画像の各々について前記検査情報又は所見情報を表現する文字列に含まれる複数の語句を解析して優先度を決定する優先度決定部をさらに備える、請求項５記載のレポート作成装置。
【請求項７】
前記表示部は、前記優先度の順番に従って前記複数の縮小画像を配列して表示する、請求項５記載のレポート作成装置。
【請求項８】
前記所定の項目は、検査種、検査日付、検査部位、画像種、及び検査間の時刻的関連性のうちの少なくとも一つである、請求項１記載のレポート作成装置。
【請求項９】
前記抽出部は、前記入力部を介して前記読影レポートに入力された文章が確定されたことを契機として又は前記入力部を介したユーザによる抽出操作がなされたことを契機として、前記文字列を抽出する、請求項１記載のレポート作成装置。
【請求項１０】
前記特定部は、自装置の記憶装置に記憶された前記複数の医用画像、ネットワークを介して接続されたサーバ装置に記憶された前記複数の医用画像、又は前記表示部により表示されている前記複数の医用画像の中から、前記関連医用画像を特定する、請求項１記載のレポート作成装置。
【請求項１１】
前記表示部は、前記関連医用画像を表示する、請求項１記載のレポート作成装置。
【請求項１２】
前記特定部は、前記読影レポートに入力された検査情報又は所見情報に含まれる文章を構成する所定の文章構造単位毎に前記所定の項目に関する文字列について前記関連医用画像を特定する、請求項１記載のレポート作成装置。
【発明の詳細な説明】
【技術分野】
【０００１】
本発明の実施形態は、レポート作成装置に関する。
【背景技術】
【０００２】
読影レポートを作成するためのレポート作成装置がある。医療従事者等のユーザは、レポート作成装置において、ビューア機能により表示されているＤＩＣＯＭ画像を、ドラッグ＆ドロップ操作により読影レポートにキー画像として貼付している。ＤＩＣＯＭ画像と読影レポートとは異なる表示機器に表示されている。ＤＩＣＯＭ画像のための表示機器から読影レポートのための表示機器までＤＩＣＯＭ画像をドラッグ＆ドロップする際、マウスの移動距離が長いため、キー画像を読影レポートに貼り付ける操作に時間を要し、読影効率が悪い。さらに、読影レポートに多数のＤＩＣＯＭ画像をキー画像として貼付する場合、上記のドラッグ＆ドロップを画像数分繰り返さなければならず、より読影効率が低下してしまう。
【発明の概要】
【発明が解決しようとする課題】
【０００３】
実施形態の目的は、読影レポートの作成時に係る読影効率の向上を可能とするレポート作成装置を提供することにある。
【課題を解決するための手段】
【０００４】
本実施形態に係るレポート作成装置は、読影対象の患者に関する読影レポートを表示する表示部と、前記読影レポートに対する入力操作を受け付ける入力部と、前記入力部を介して前記読影レポートに入力された検査情報又は所見情報から、医用画像を特定するための所定の項目に関する文字列を抽出する抽出部と、前記抽出された文字列に関連する関連医用画像を前記読影対象の患者に関する複数の医用画像の中から特定する特定部と、前記特定された関連医用画像のキー画像を前記読影レポートに貼付する貼付部と、を具備する。
【図面の簡単な説明】
【０００５】
【図１】本実施形態に係るレポート作成装置のネットワーク環境を示す図。
【図２】図１の医用画像保管装置により管理されるＤＩＣＯＭ画像のデータ構造を示す図。
【図３】図１のレポート作成装置の構成を示す図。
【図４】図３の辞書記憶部により記憶されている辞書の一例を示す図。
【図５】図３の制御部の制御により実行されるレポート作成処理の典型的な流れを示す図。
【図６】図５のステップＳ１において表示部により表示される画像表示画面とレポート作成画面との表示例を示す図。
【図７】図５のステップＳ４において医用画像特定部により行われる候補画像（ＤＩＣＯＭ画像）の特定処理を模式的に示す図。
【図８】図５のステップＳ４において医用画像特定部により行われる候補画像（ＤＩＣＯＭ画像）の特定処理の他の例を模式的に示す図。
【図９】図５のステップＳ６において表示部により行われる候補表示ウィンドウの表示例を示す図。
【図１０】図５のステップＳ８において貼付部により行われるキー画像の貼付処理を説明するための図。
【図１１】図３の優先度決定部により管理される優先度テーブルの一例を示す図。
【図１２】本実施形態の応用例に係る表示部による縮小画像の表示例を示す図。
【発明を実施するための形態】
【０００６】
以下、図面を参照しながら本実施形態に係わるレポート作成装置を説明する。
【０００７】
図１は、本実施形態に係るレポート作成装置１のネットワーク環境を示す図である。図１に示すように、レポート作成装置１は、ＬＡＮ（local area network）等のネットワークを介して医用画像保管装置３に接続されている。医用画像保管装置３は、複数の患者に関する複数の医用画像を所定のデータ形式で記憶している。医用画像は、例えば、ＤＩＣＯＭ（digital imaging and communication in medicine）規格に準拠したデータ形式で管理される。以下、ＤＩＣＯＭ規格に準拠したデータ形式を有する医用画像をＤＩＣＯＭ画像と呼ぶことにする。
【０００８】
図２は、ＤＩＣＯＭ画像のデータ構造を示す図である。図２に示すように、ＤＩＣＯＭ画像データは付帯情報に関連づけて管理されている。ＤＩＣＯＭ画像データと付帯情報とはＤＩＣＯＭ画像ファイルを構成する。付帯情報は、ＤＩＣＯＭ画像データのメタデータとして機能する。よく知られているように、ＤＩＣＯＭ規格において付帯情報は、患者情報、検査情報、シリーズ情報、及び画像情報に階層化されて管理されている。患者情報は、ＤＩＣＯＭ画像の被検体である患者に関する情報である。患者情報としては、例えば、患者の氏名やＩＤ等を示す。検査情報は、患者に対する検査に関する情報である。検査情報としては、例えば、検査ＩＤや検査種、検査日付、検査部位等が挙げられる。シリーズ情報は、検査のうちのシリーズに関する情報である。シリーズ情報としては、例えば、シリーズＩＤやシリーズ種等が挙げられる。画像情報は、検査又はシリーズにより収集された画像に関する情報である。画像情報としては、例えば、画像ＩＤや画像種等が挙げられる。検査種は、ＤＩＣＯＭ画像の撮影モダリティの種別を示す。具体的には、検査種としては、ＣＴ（Ｘ線コンピュータ断層撮影装置）やＭＲ（磁気共鳴診断装置）、ＵＳ（超音波診断装置）等が挙げられる。検査日付は、ＤＩＣＯＭ画像の撮影日である。検査部位は、ＤＩＣＯＭ画像の撮影対象部位である。具体的には、検査部位としては、腹部や胸部、頭部等が挙げられる。画像種は、ＤＩＣＯＭ画像の撮影プロトコルを示す。ＭＲに関する撮影プロトコルとしては、例えば、ＤＷＩ（diffusion weighted image：拡散強調画像）やＦＬＡＩＲ（fluid attenuated inversion recovery）、Ｔ１強調画像、Ｔ２強調画像等が挙げられる。
【０００９】
図３は、レポート作成装置１の構成を示す図である。図３に示すように、レポート作成装置１は、制御部１１を中枢として、通信部１３、入力部１５、表示部１７、画像用表示機器１９、レポート用表示機器２１、主記憶部２３、及び情報処理部２５を有している。
【００１０】
通信部１３は、医用画像保管装置３との間でネットワークを介して情報通信を行う。例えば、通信部１３は、医用画像保管装置３から読影対象の患者に関するＤＩＣＯＭ画像を受信する。入力部１５は、入力機器を介したユーザからの各種指示を受け付ける。例えば、入力部１５は、読影レポートに対する入力操作を受け付ける。入力機器としては、マウスやトラックボールなどのポインティングデバイス等の選択デバイス、あるいはキーボード等が適宜利用可能である。表示部１７は、種々の情報を画像用表示機器１９またはレポート用表示機器２１に表示する。画像用表示機器１９は、画像読影のためにＤＩＣＯＭ画像を表示するための高解像度の表示機器である。レポート用表示機器２１は、読影レポートの作成に供される表示機器である。表示機器としては、例えばＣＲＴディスプレイや、液晶ディスプレイ、有機ＥＬディスプレイ、プラズマディスプレイ等が適宜利用可能である。主記憶部２３は、半導体記憶装置やＨＤＤ（hard disk drive）等の記憶装置である。主記憶部２３は、例えば、通信部１３により医用画像保管装置３から受信したＤＩＣＯＭ画像を記憶する。また、主記憶部２３は、ＤＩＣＯＭ画像の表示のためのプログラム（以下、ビューワプログラムと呼ぶ）と読影レポート作成のためのプログラム（以下、レポート作成プログラムと呼ぶ）とを記憶する。
【００１１】
情報処理部２５は、制御部１１による制御に従って読影レポートを作成する。具体的には、情報処理部２５は、文字列抽出部２５１、医用画像特定部２５２、辞書記憶部２５３、縮小画像発生部２５４、貼付部２５５、及び優先度決定部２５６を有している。
【００１２】
文字列抽出部２５１は、入力部１５を介して、読影対象の患者に関する読影レポートに入力された検査情報又は所見情報から、ＤＩＣＯＭ画像を特定するための所定の項目に関する文字列を抽出する。以下、当該所定の項目を画像特定項目と呼ぶことにする。画像特定項目は、典型的には、付帯情報に含まれる情報項目である。このような画像特定項目としては、例えば、検査種、検査日付、検査部位、画像種（プロトコル）が挙げられる。画像特定項目は、付帯情報に含まれる情報項目に限定されない。このような画像特定項目としては、例えば、付帯情報に含まれる情報項目を推定可能な情報項目が挙げられる。具体的には、検査間の時刻的関連性等が挙げられる。検査間の時刻的関連性は、例えば、「前回」、「前々回」、「今回」等が挙げられる。画像特定項目の語句は、後述の辞書記憶部２５３の辞書に登録されている。
【００１３】
医用画像特定部２５２は、文字列抽出部２５１により抽出された文字列に関連するＤＩＣＯＭ画像を、読影対象の患者に関する複数のＤＩＣＯＭ画像の中から特定する。より詳細には、医用画像特定部２５２は、辞書記憶部２５３において記憶されているデータベースやＬＵＴ（look up table）を利用して、文字列抽出部２５１により抽出された文字列からＤＩＣＯＭ画像を特定する。
【００１４】
辞書記憶部２５３は、画像特定項目に関する複数の語句の各々について、当該語句の同義語を関連づけたデータベースやＬＵＴを記憶している。語句と同義語との関連付けはデータベースにより規定されてもＬＵＴにより規定されても良い。以下、データベースとＬＵＴとを区別せず両者をまとめて辞書と呼ぶことにする。
【００１５】
図４は、辞書記憶部２５３により記憶されている辞書の一例を示す図である。図４に示すように、辞書は、ＩＤ、登録語句、及び同義語を関連づけている。ＩＤは登録語句の識別番号である。登録語句は、典型的に付帯情報に登録される、一般的な語句である。同義語は、同一のＩＤの登録用語に同義する語句である。例えば、登録語句「body」の同義語としては、「体」、「全身」、「ボディ」等が挙げられる。また、同等の内容を表現する場合であっても、モダリティやレポート作成装置等の医用装置のメーカにより用語が異なる場合がある。また、医療施設に応じて使用する用語が異なる場合もある。このような場合、登録語句に一般的な語句が入力され、同義語にメーカや医療施設において用いられている語句が入力されると良い。
【００１６】
縮小画像発生部２５４は、医用画像特定部２５２により特定されたＤＩＣＯＭ画像の縮小画像を発生する。縮小画像は、キー画像として利用される。キー画像は、良く知られているように、医師による所見の根拠となる画像を意味する。
【００１７】
貼付部２５５は、医用画像特定部２５２により特定されたＤＩＣＯＭ画像のキー画像を、読影レポートに貼付する。より詳細には、貼付部２５５は、入力部１５を介して貼付対象のＤＩＣＯＭ画像に対する貼付操作がなされた場合、当該貼付対象の医用画像のキー画像を読影レポートのキー画像欄に貼付する。
【００１８】
優先度決定部２５６は、医用画像特定部２５２により複数のＤＩＣＯＭ画像が特定された場合、当該複数のＤＩＣＯＭの優先度を決定する。優先度は、文字列抽出部２５１により文字列とＤＩＣＯＭ画像との関連の確実性と同義である。
【００１９】
制御部１１は、レポート作成装置１の中枢として機能する。制御部１１は、ＣＰＵ（central processing unit）とＲＡＭ（random access memory）とを有する。制御部１１は、主記憶部２３により記憶されたビューアプログラムを読み出して実行し、ビューアプログラムが記述するビューア機能を実行するために各部に指令を出す。また、制御部１１は、主記憶部２３により記憶されたレポート作成プログラムを読み出して実行し、レポート作成プログラムが記述するレポート作成機能を実行するために各部に指令を出す。
【００２０】
以下、本実施形態に係る制御部１１の制御により行われるレポート作成処理の動作例について説明する。
【００２１】
図５は、制御部１１の制御により実行されるレポート作成処理の典型的な流れを示す図である。まず、制御部１１は、表示部１７に表示処理を行わせる（ステップＳ１）。具体的には、まず、ユーザは、入力部１５を介して画像表示指示を入力する。ユーザにより入力部１５を介して画像表示指示がなされたことを契機として制御部１１は、ビューアプログラムを実行する。まず、表示部１７は、画像表示画面を画像用表示機器１９に表示する。ユーザは、入力部１５を介して読影対象の患者に関するＤＩＣＯＭ画像の取得要求を入力する。通信部１３は、取得要求に応じたＤＩＣＯＭ画像を、ネットワークを介して医用画像保管装置３から取得する。取得されたＤＩＣＯＭ画像は主記憶部２３に記憶される。表示部１７は、取得されたＤＩＣＯＭ画像を画像用表示機器１９に表示する。また、ユーザにより入力部１５を介してレポート作成指示がなされたことを契機として制御部１１は、レポート作成プログラムを実行する。表示部１７は、レポート作成画面をレポート用表示機器２１に表示する。
【００２２】
図６は、画像表示画面ＤＩとレポート作成画面ＤＲとの表示例を示す図である。図６に示すように、画像表示画面ＤＩは、画像表示領域Ｒｉを有している。画像表示領域Ｒｉには、読影対象の患者に関するＤＩＣＯＭ画像ＩＤが表示される。レポート作成画面ＤＲは、患者情報表示領域Ｒｐ、検査情報表示領域Ｒｓ、所見表示領域Ｒｆ、及びキー画像表示領域Ｒｋを有している。患者情報表示領域ＲＰには、ＤＩＣＯＭ画像ＩＤに関連づけられた患者情報が表示される。検査情報表示領域Ｒｓには、ＤＩＣＯＭ画像ＩＤに関連づけられた検査情報が表示される。所見表示領域Ｒｆには、ユーザにより入力部１５を介して入力された所見を表す文字列が表示される。キー画像表示領域Ｒｋには、貼付部２５５によりＤＩＣＯＭ画像ＩＤのキー画像が貼付される。より詳細には、キー画像表示領域Ｒｋは複数のキー画像貼付領域Ｒｒｋにより構成される。複数のキー画像貼付領域Ｒｒｋの各々にキー画像が貼付される。
【００２３】
ステップＳ１が行われると制御部１１は、入力部１５を介して検査情報表示領域又は所見表示領域に文字列が入力されることを待機する（ステップＳ２）。ユーザは、レポート作成画面ＤＲが表示されると、入力部１５を介して検査情報表示領域内の検査情報を表す文字列を入力したり、所見表示領域に所見を表す文字列を入力したりする。例えば、図６に示すように、ユーザは、所見表示領域Ｒｆに「ＸＸＸＸ年ＹＹ月ＺＺ日のＣＴ検査と・・・」のような文字列を入力する。
【００２４】
ステップＳ２において検査情報表示領域又は所見表示領域に文字列が入力された場合、制御部１１は、文字列抽出部２５１に抽出処理を行わせる（ステップＳ３）。ステップＳ３において文字列抽出部２５１は、検査情報表示領域又は所見表示領域に記載された文字列から画像特定項目に関する文字列を抽出する。文字列の抽出タイミングは、入力された文字列が確定されたタイミングが良い。入力部１５を介して入力された文字列は、初期的には未確定状態であり、例えば、エンターキー等の確定ボタンが押下されたことを契機として確定される。確定ボタンが押下されたことを契機として文字列抽出部２５１は、確定された文字列のうちの予め登録された画像特定項目に関する文字列を抽出する。画像特定項目に関連する文字列は、例えば、辞書に登録された登録語句又は同義語である。すなわち、文字列抽出部２５１は、抽出された文字列を構成する複数の語句の中から、辞書に登録された登録語句又は同義語を抽出する。これにより画像特定項目に関する文字列が抽出される。なお、文字列の抽出タイミングは、確定ボタンが押下されたタイミングに限定されない。例えば、文字列抽出部２５１は、確定された文字列のうちの、ユーザにより入力部１５を介して選択された文字列を抽出しても良い。
【００２５】
ステップＳ３が行われると制御部１１は、医用画像特定部２５２に特定処理を行わせる（ステップＳ４）。ステップＳ４において医用画像特定部２５２は、ステップＳ３において抽出された文字列に関連するＤＩＣＯＭ画像を、読影対象の患者に関する複数のＤＩＣＯＭ画像の中から特定する。医用画像特定部２５２により特定されるＤＩＣＯＭ画像は、キー画像の候補である。従って医用画像特定部２５２により特定されるＤＩＣＯＭ画像を候補画像と呼ぶことにする。
【００２６】
以下、医用画像特定部２５２による特定処理について詳細に説明する。まず医用画像特定部２５２は、文字列抽出部２５１により抽出された文字列が登録語句の場合、医用画像特定部２５２は、当該語句をキーワードとして当該読影対象の患者に関する複数のＤＩＣＯＭ画像の付帯情報を探索して、当該キーワードを含む付帯情報に関連づけられたＤＩＣＯＭ画像を候補画像として特定する。抽出された文字列が同義語の場合、医用画像特定部２５２は、当該語句に関連づけられた登録語句をキーワードとして当該読影対象の患者に関する複数のＤＩＣＯＭ画像の付帯情報を探索して、当該キーワードを含む付帯情報に関連づけられたＤＩＣＯＭ画像を候補画像として特定する。典型的には、キー画像は、画像用表示機器１９により表示されているＤＩＣＯＭ画像の中から選択される。従って医用画像特定部２５２は、画像用表示機器１９により表示されている複数のＤＩＣＯＭ画像、主記憶部２３に記憶された複数のＤＩＣＯＭ画像の中から候補画像を特定すると良い。これにより、候補画像の探索を効率的に行うことが可能となる。なおＤＩＣＯＭ画像の探索範囲は上記に限定されず、医用画像特定部２５２は、医用画像保管装置３に記憶された複数のＤＩＣＯＭ画像の中から候補画像を特定しても良い。
【００２７】
抽出された文字列の中に画像特定項目に属する複数の語句が特定された場合、特定された全ての語句を含む付帯情報に関連づけられたＤＩＣＯＭ画像が候補画像として特定されると良い。
【００２８】
なお、医用画像特定部２５２は、必ずしも辞書を利用して候補画像を特定する必要はない。医用画像特定部２５２は、画像特定項目が検査日付等の場合は辞書を利用せず、文字列内の検査日付をキーワードとして付帯情報を探索しても良い。また、画像特定項目が検査間の時刻的関連性の場合、医用画像特定部２５２は、文字列内の検査間の時刻的関連性に関する文字列に基づいて、読影対象検査から候補画像を特定する。例えば、検査間の時刻的関連性に関する文字列が「前回」の場合、医用画像特定部２５２は、読影対象検査の検査日付から遡って一番初めの検査に関するＤＩＣＯＭ画像を候補画像として特定する。
【００２９】
所見表示領域Ｒｆには、複数のキー画像に対応する文章が入力される場合がある。従って、上記の通り、入力部１５を介して入力された文字列が確定されたタイミングで候補画像を特定することにより、任意の文章単位でキー画像を特定することができる。なお、複数のキー画像に対応する文章が一時に確定された場合、医用画像特定部２５２は、文章を構成する文字列を所定の文章構造単位に分割し、当該文章構造単位毎に候補画像を特定する。文章構造単位としては、例えば、一段落単位や一文単位等が挙げられる。
【００３０】
図７は、医用画像特定部２５２による候補画像の特定処理を模式的に示す図である。図７に示すように、ステップＳ３において所見表示領域Ｒｆ内の「ＸＸＸＸ年ＹＹ月ＺＺ日のＣＴ検査と・・・」という文字列のうちの検査日付「ＸＸＸＸ年ＹＹ月ＺＺ日」と検査種「ＣＴ」とが抽出されたとする。検査日付と検査種とは異なる画像特定項目に属する。このように、異なる画像特定項目に属する複数の語句が文字列に含まれる場合、複数の語句の全てを含む付帯情報に関連づけたＤＩＣＯＭ画像が特定されると良い。図７の場合、この場合、検査日付「ＸＸＸＸ年ＹＹ月ＺＺ日」と検査種「ＣＴ」とを付帯情報に含むＤＩＣＯＭ画像Ｉ１が探索範囲内の複数のＤＩＣＯＭ画像の中から特定される。また、ステップＳ３において所見表示領域Ｒｆ内の「・・・・・・、腹部・・・」という文字列のうちの検査部位「腹部」が抽出されたとする。この場合、検査部位「腹部」を付帯情報に含むＤＩＣＯＭ画像Ｉ２が探索範囲内の複数のＤＩＣＯＭ画像の中から特定される。
【００３１】
図８は、医用画像特定部２５２による候補画像の特定処理の他の例を模式的に示す図である。図８に示すように、ステップＳ３において所見表示領域Ｒｆ内の「右前頭葉の前回（２／１４）ＤＷＩ、ＦＬＡＩＲで見られた」という文字列のうちの検査部位「右前頭葉」、検査間の時刻的関連性「前回」、検査日付「２月１４日」、画像種「ＤＷＩ」、画像種「ＦＬＡＩＲ」とが抽出されたとする。画像種「ＤＷＩ」と画像種「ＦＬＡＩＲ」とは、同一項目に属する登録語句である。このように同一の画像特定項目に属する複数の語句が文字列に含まれる場合、複数の語句の各々について個別にＤＩＣＯＭ画像が特定されると良い。従って医用画像特定部２５２は、検査部位「右前頭葉」、検査日付「２月１４日」、及び画像種「ＤＷＩ」を付帯情報に含むＤＩＣＯＭ画像Ｉ３を探索範囲内の複数のＤＩＣＯＭ画像の中から特定し、医用画像特定部２５２は、検査部位「右前頭葉」、検査日付「２月１４日」、及び画像種「ＦＬＡＩＲ」を付帯情報に含むＤＩＣＯＭ画像Ｉ４を探索範囲内の複数のＤＩＣＯＭ画像の中から特定する。
【００３２】
ステップＳ４が行われると制御部１１は、縮小画像発生部２５４に縮小処理を行わせる（ステップＳ５）。ステップＳ５において縮小画像発生部２５４は、ステップＳ４において特定された候補画像に既存の画像縮小処理を施して縮小画像を発生する。縮小画像は、候補画像（ＤＩＣＯＭ画像）に比してマトリクスサイズが小さく、低画質である。
【００３３】
ステップＳ５が行われると制御部１１は、表示部１７に表示処理を行わせる（ステップＳ６）。ステップＳ６において表示部１７は、ステップＳ５において表示部１７は、ステップＳ４において特定された候補画像（ＤＩＣＯＭ画像）の縮小画像を、候補表示ウィンドウに表示する。
【００３４】
図９は、表示部１７による候補表示ウィンドウＷｃの表示例を示す図である。図９に示すように、候補表示ウィンドウＷｃが所見表示領域Ｒｆにポップアップ表示される。所見表示領域ＲｆにはステップＳ４において特定された候補画像の縮小画像Ｉｒが表示される。図９の場合、所見表示領域Ｒｆに含まれる文字列に関連づけられたＤＩＣＯＭ画像Ｉ３の縮小画像Ｉｒ３とＤＩＣＯＭ画像Ｉ４の縮小画像Ｉｒ４とが表示されている。候補表示ウィンドウＷｃの表示箇所は、後述の貼付操作の簡易化のため、キー画像表示領域Ｒｋの近傍に表示されると良い。換言すれば、候補表示ウィンドウＷｃは、貼付操作の簡易化のため、キー画像表示領域Ｒｋが表示されていない画像表示画面ＤＩに表示されるべきではない。例えば、候補表示ウィンドウＷｃは、所見表示領域Ｒｆ内に表示されると良い。
【００３５】
ステップＳ６が行われると制御部１１は、候補表示ウィンドウ内の縮小画像に貼付操作がなされることを待機する（ステップＳ７）。ユーザは、候補表示ウィンドウＷｃに表示された複数の縮小画像を観察し、複数の縮小画像の中からキー画像とすべき縮小画像を決定する。そしてユーザは、決定された縮小画像に入力部１５を介して貼付操作を実行する。貼付操作は、候補表示ウィンドウＷｃに表示された複数の縮小画像のうちの任意の縮小画像をキー画像表示領域Ｒｋに貼付するための操作である。例えば、貼付操作は、ドラッグ＆ドロップにより実現される。この場合、ユーザは、候補表示ウィンドウＷｃに表示された任意の縮小画像上にマウスカーソルＣｕを移動しマウスの左ボタンを押下して当該縮小画像を選択する。そしてユーザは、マウスの左ボタンを押下しながらマウスを移動することにより、当該縮小画像をキー画像表示領域Ｒｋのキー画像貼付領域Ｒｒｋに移動し、移動後マウスの左ボタンを解放する。これにより貼付操作が完了する。
【００３６】
なお貼付操作はドラッグ＆ドロップのみに限定されない。例えば、マウス等により任意の縮小画像を選択することにより、自動的にキー画像表示領域Ｒｋの任意のキー画像貼付領域Ｒｒｋに貼付が行われても良い。この場合の縮小画像の選択方法は、マウスの左ボタンの押下やキーボードのエンターボタンの押下など任意の方法で良い。
【００３７】
貼付操作がなされた場合（ステップＳ７：ＹＥＳ）、制御部１１は、貼付部２５５に貼付処理を行わせる（ステップＳ８）。貼付部２５５は、貼付操作対象の縮小画像をキー画像としてキー画像表示領域Ｒｋに貼付する。
【００３８】
図１０は、貼付部２５５によるキー画像の貼付処理を説明するための図である。図１０に示すように、候補表示ウィンドウＷｃには医用画像特定部２５２により特定された候補画像の縮小画像Ｉｒ３、Ｉｒ４が表示されている。例えば、上記のドラッグ＆ドロップにより縮小画像Ｉｒ３に対して貼付操作が行われた場合、マウスの左ボタンの押下が解放されたキー画像貼付領域Ｒｒｋに、縮小画像Ｉｒ３をキー画像として貼付される。貼付された縮小画像Ｉｒ３は、表示部１７によりキー画像貼付領域Ｒｒｋに嵌め込み表示される。貼付操作がなされた縮小画像は、読影レポートにキー画像として関連づけられる。なお、表示部１７は、貼付操作がなされた縮小画像に対応する候補画像を画像用表示機器１９の画像表示画面ＤＩに自動的に表示すると良い。これにより、ユーザは、候補画像の選択の手間無くキー画像をオリジナルの解像度で観察することができる。
【００３９】
以上で制御部１１の制御により実行されるレポート作成処理が終了する。
【００４０】
上記の通り、本実施形態によれば、読影レポートにキー画像を貼付する際、本実施形態に係るレポート作成装置１は、読影レポート内の検査情報や所見情報の文字列に関連したＤＩＣＯＭ画像を自動的に特定し、特定されたＤＩＣＯＭ画像の縮小画像をユーザに自動的に提示することができる。ユーザは、提示された縮小画像からキー画像を選択すれば良い。従って本実施形態に係るレポート作成装置１は、画像用表示機器１９に表示された複数のＤＩＣＯＭ画像の中からキー画像を選択していた従来に比して、キー画像の選択作業の効率が向上する。また、本実施形態に係るレポート作成装置１は、候補表示ウィンドウを画像用表示機器１９ではなく、レポート用表示機器２１のレポート作成画面に重畳して表示する。ユーザは、レポート作成画面内の候補表示ウィンドウからキー画像表示領域に縮小画像をドラッグ＆ドロップする。従って本実施形態に係るレポート作成装置１は、画像用表示機器の画像表示画面からレポート用表示機器のレポート作成画面までドラッグ＆ドロップしていた従来に比して、ドラッグ＆ドロップの距離が短くて済むため、貼付作業の労力を削減することができる。
【００４１】
上記のレポート作成処理の流れは一例であり、図５に示す流れに限定されない。例えば、縮小画像の貼付操作は必須ではない。すなわち、貼付部２５５は、ステップＳ４において医用画像特定部２５２により特定された医用画像の縮小画像を自動的にキー画像表示領域Ｒｋに貼付しても良い。これによりユーザによる貼付操作を省略することができ、読影レポートの作成効率が向上する。この際、ステップＳ６における候補表示ウィンドウＷｃの表示も省略可能である。また、表示部１７は、ステップＳ４において医用画像特定部２５２により特定された医用画像を、画像用表示機器１９に自動的に表示しても良い。これにより画像用表示機器１９への表示対象のＤＩＣＯＭ画像の選択の手間を軽減することができる。
【００４２】
かくして本実施形態によれば、読影レポートの作成時に係る読影効率の向上が可能となる。
【００４３】
（応用例）
応用例に係るレポート作成装置１は、医用画像特定部２５２により特定された複数のＤＩＣＯＭ画像（候補画像）の縮小画像を候補表示ウィンドウに表示する際、優先度に応じたレイアウトで表示する。以下、応用例に係るレポート作成装置１について説明する。なお以下の説明において、上記実施形態と略同一の機能を有する構成要素については、同一符号を付し、必要な場合にのみ重複説明する。
【００４４】
優先度決定部２５６は、図５のステップＳ４において医用画像特定部２５２により複数の候補画像が特定された場合、複数の候補画像の各々について検査情報又は所見情報を表現する文字列に含まれる複数の語句を解析して優先度を決定する。具体的には、優先度決定部２５６は、当該文字列に含まれる画像特定項目の文字列に優先度テーブルを適用して優先度を決定する。
【００４５】
図１１は、優先度決定部２５６により管理される優先度テーブルの一例を示す図である。図１１に示すように、優先度テーブルは、画像特定項目の各々に項目ＩＤと重み値とを関連づけたデータベース又はＬＵＴである。重み値は当該画像特定項目がキー画像の決定要因として重要度が高ければ高い値を有する。例えば、項目ＩＤ「１」の「検査種」の重み値は「２０」に設定されている。重み値は、予めユーザ等により入力部１５を介して設定可能である。
【００４６】
上記の通り、医用画像特定部２５２は、検査情報又は所見情報を表現する文字列に含まれる画像特定項目の文字列を特定し、当該特定された文字列に関連するＤＩＣＯＭ画像を候補画像として特定する。優先度決定部２５６は、候補画像毎に、医用画像特定部２５２により特定された文字列の画像特定項目に割り当てられた重み値を優先度テーブルを利用して特定し重み値を計算する。例えば、候補画像Ａが検査種「ＣＴ」と検査日付「２０１３／１／１０」の場合、候補画像Ａの重み値は「７０」となる。このようにして優先度決定部２５６は、候補画像毎に優先度を決定する。
【００４７】
優先度が決定されると表示部１７は、候補表示ウィンドウへの表示対象の縮小画像を、複数の候補画像に関する優先度に応じて制限する。図１２は、表示部１７による縮小画像の表示例を示す図である。図１２に示すように、レポート用表示機器２１のレポート作成画面には候補表示ウィンドウＷｃが表示される。表示部１７は、候補表示ウィンドウＷｃにおいて縮小画像Ｉｒを、対応する候補画像の優先度の順番に従って配列する。例えば、候補表示ウィンドウＷｃには縮小画像Ｉｒ５、縮小画像Ｉｒ６、縮小画像Ｉｒ７、及び縮小画像Ｉｒ８が優先度の高い方から順番に左側から配列される。このように優先度の順番に従って縮小画像が配列されることにより、ユーザが入力した検査情報や所見情報に適合する可能性が高い候補画像を容易に判断することが可能となり、ユーザによるキー画像の選択を支援することができる。
【００４８】
なお、貼付部２５５は、優先度が予め決定された順位内の候補画像の縮小画像を、キー画像表示領域に貼付しても良い。例えば、貼付部２５５は、優先度が最も高い候補画像の縮小画像を、キー画像表示領域に貼付しても良い。なお、表示対象の順位は１番に限定されず、上位３位などユーザにより任意の順位に設定可能である。これにより、キー画像の可能性が高い縮小画像を自動的に読影レポートに貼付することができるので、キー画像の貼付作業の簡便化とキー画像の選択作業の短縮化を図ることが可能となる。
【００４９】
（変形例）
上記実施形態においては読影レポートの作成の際、画像用表示機器１９にＤＩＣＯＭ画像が表示されているものとした。しかしながら、本実施形態はこれに限定されない。本実施形態の変形例に係るレポート作成装置１は、読影レポートに記入された文字列に応じたＤＩＣＯＭ画像を画像用表示機器１９に表示する。例えば、ユーザは、画像用表示機器１９への表示対象のＤＩＣＯＭ画像の選択操作が煩わしい場合、頭の中でＤＩＣＯＭ画像の内容を思い出し、所見や検査情報の文章を読影レポートに入力部１５を介して記入する場合がある。この場合、文字列抽出部２５１は、上記の実施形態の通り、入力部１５を介して記入された文字列から画像特定項目に係る文字列を抽出し、医用画像特定部２５２は、上記の実施形態の通り、抽出された文字列に関連するＤＩＣＯＭ画像（候補画像）を特定する。そして表示部２７は、医用画像特定部２５２により特定されたＤＩＣＯＭ画像を画像用表示機器の画像表示画面に自動的に表示する。例えば、所見表示領域に「前回検査は・・・」という文字列が入力された場合、前回検査のＤＩＣＯＭ画像が自動的に画像用表示機器１９に表示されることとなる。このようにユーザにより入力部１５を介して記入された文字列の内容に関連するＤＩＣＯＭ画像を自動的に表示することにより、ユーザによる読影対象のＤＩＣＯＭ画像の選択作業を軽減することが可能となる。
【００５０】
なお、医用画像特定部２５２により複数のＤＩＣＯＭ画像が特定された場合、優先度決定部２５６により、上記の実施形態の通り、複数のＤＩＣＯＭ画像の各々の優先度を決定し、表示部１７は、優先度の順番に従ってＤＩＣＯＭ画像を表示しても良い。この際、表示部１７は、優先度が規定の順位内のＤＩＣＯＭ画像に限定して表示しても良い。また、貼付部２５５は、医用画像特定部２５２により特定されたＤＩＣＯＭ画像を、上記の実施形態の通り、読影レポートに貼付しても良い。
【００５１】
かくして、本実施形態の変形例によれば、読影レポートの作成時に係る読影効率、より詳細には、ビューワ機能による画像参照効率の向上が可能となる。
【００５２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれるものである。
【符号の説明】
【００５３】
１…レポート作成装置、３…医用画像保管装置、１１…制御部、１３…通信部、１５…入力部、１７…表示部、１９…画像用表示機器、２１…レポート用表示機器、２３…主記憶部、２５…情報処理部、２５１…文字列抽出部、２５２…医用画像特定部、２５３…辞書記憶部、２５４…縮小画像発生部、２５５…貼付部、２５６…優先度決定部。
【図１】
2015162082.tif 000003
【図２】
2015162082.tif 000004
【図３】
2015162082.tif 000005
【図４】
2015162082.tif 000006
【図５】
2015162082.tif 000007
【図１１】
2015162082.tif 000008
【図６】
2015162082.tif 000009
【図７】
2015162082.tif 000010
【図８】
2015162082.tif 000011
【図９】
2015162082.tif 000012
【図１０】
2015162082.tif 000013
【図１２】
2015162082.tif 000014